(57)【要約】【課題】従来の観察用照明装置は、被観察物の特性を考慮することなく照明するため、被観察物に写る像の内容によっては、光源から照射される光のうち、被観察物に写る像の細部を透過できる光が少ないことで被観察物の解像度が低くなり、精細な観察が不能になるという問題があった。【解決手段】被観察物を精細に観察するための波長領域の光を照射する特定光源を備えてなる構成としたことにより、被観察物の精細な観察が可能となる。【選択図】図１
2010038995.tif 000002
【特許請求の範囲】
【請求項１】
複数種類の光源からの光を用いて被観察物を照明し、該被観察物を観察する観察用照明装置であって、
上記複数種類の光源の少なくとも１つは、上記被観察物を精細に観察するための波長の光を照射する特定光源であることを特徴とする観察用照明装置。
【請求項２】
上記特定光源は、可視光の波長領域の中で短波長領域の光を照射することを特徴とする請求項１に記載の観察用照明装置。
【請求項３】
上記特定光源は、４００ｎｍ〜５００ｎｍの波長領域の光を照射することを特徴とする請求項１又は請求項２に記載の観察用照明装置。
【請求項４】
上記特定光源の照射する光の輝度は、上記複数種類の光源が照射する光の輝度の２０％以下であることを特徴とする請求項１から請求項３のいずれか１つに記載の観察用照明装置。
【請求項５】
上記複数種類の光源の少なくとも１つは、白色光を照射する白色光源であることを特徴とする請求項１から請求項４のいずれか１つに記載の観察用照明装置。
【請求項６】
上記複数種類の光源は、駆動電圧が全て等しいことを特徴とする請求項１から請求項５のいずれか１つに記載の観察用照明装置。
【請求項７】
周囲の照度を測るための照度センサ、及び／又は、観察者の接近を感知するための人感センサを備え、上記照度センサ、及び／又は、人感センサの出力する信号に応じて照射する上記複数種類の光源の光の強度を調整する調光手段を備えたことを特徴とする請求項１から請求項６のいずれか１つに記載の観察用照明装置。
【請求項８】
被観察物に光を照射し、該被観察物を観察する観察用照明方法であって、
上記光は、上記被観察物を精細に観察するための波長の特定光を含んでなることを特徴とする観察用照明方法。
【発明の詳細な説明】
【技術分野】
【０００１】
本発明は、フィルム、シート、紙などの被観察物に光を照射して、該被観察物を観察するために用いる観察用照明装置及び観察用照明方法に関するものであり、特に、Ｘ線写真フィルムの観察に使用して好適な観察用照明装置及び観察用照明方法に関する。
【背景技術】
【０００２】
従来の観察用照明装置、例えば、シャウカステンとして用いられる観察用照明装置は、基板上に配設した複数の白色発光ダイオード（以下、ＬＥＤと称する）からなる面状光源からの光を用いて被観察物を観察（読影）するものがある（例えば、特許文献１参照）。
上記特許文献１に記載の観察用照明装置９は、図８に示す通り、箱状の筐体９１と、該筐体９１内部にある基板上に配設した複数の白色ＬＥＤ９２ａと、被観察物（被読影物）９３を照明するための面状光源９２と、該面状光源９２に近接して配設されるフィルタ９４とからなる構成であって、該面状光源９２からの光を、該フィルタ９４を介して被観察物９３に照射し、被観察物９３を透過して得られる光の像を観察するのに使用されるものである。
【特許文献１】特開２００７−１４０２９８号公報
【発明の開示】
【発明が解決しようとする課題】
【０００３】
上記のような観察用照明装置９は、白色ＬＥＤ９２ａのみで照明するため、被観察物９３に写る像の内容によっては、光源から照射される光のうち、被観察物に写る像の細部を透過できる光が十分ではないため、解像度が低く、被観察物の像の細部について十分に精細な観察ができないという課題を有していた。
本発明は、上記のような従来の課題を解決したものであり、被観察物を精細に観察するための波長領域の光を照射することで、被観察物の像の細部を透過する光量が増加し、該細部を透過する光量が増加することで像の解像度が向上し、十分に精細な観察が可能となった観察用照明装置及び観察用照明方法の提供を目的とするものである。
【課題を解決するための手段】
【０００４】
本発明の観察用照明装置は、複数種類の光源からの光を用いて被観察物を照明し、該被観察物を観察する観察用照明装置であって、上記複数種類の光源の少なくとも１つは、上記被観察物を精細に観察するための波長の光を照射する特定光源であることを特徴とする。
本発明にあっては、特定光源の照射する光によって被観察物の解像度が向上し、精細な観察が可能となる。
【０００５】
また、本発明の観察用照明装置の特定光源は、さらに、可視光の波長領域の中で短波長領域の光を照射することを特徴とする。
本発明にあっては、可視光の波長領域の中でも短波長領域の光を照射することにより、解像度が向上し、より精細な観察が可能となる。
【０００６】
さらに、本発明の観察用照明装置の特定光源は、さらに、４００ｎｍ〜５００ｎｍの波長領域の光を照射することを特徴とする。
本発明にあっては、４００ｎｍ〜５００ｎｍの波長領域の光を照射することによって、解像度が向上し、より精細な観察が可能となる。
【０００７】
そして、本発明の観察用照明装置の特定光源の照射する光の輝度は、上記複数種類の光源が照射する光の輝度の２０％以下であることを特徴とする。
本発明にあっては、特定光源による照明光の色の変化を抑えながら、精細な観察が可能となる。
【０００８】
また、本発明の観察用照明装置複数種類の光源の少なくとも１つは、白色光を照射する白色光源であることを特徴とする。
本発明にあっては、通常の観察に用いられる光との混色光を用いることによって、より自然な色での観察が可能となる。
【０００９】
さらに、本発明の観察用照明装置の特定光源と白色光源は、駆動電圧が等しいことを特徴とする。
本発明にあっては、配線の共有化できるため、配線の簡素化、光源の配設の自由度向上、設計の自由度向上が図れる。
【００１０】
そして、本発明の観察用照明装置は、周囲の照度を測るための照度センサ、及び／又は、観察者の接近を感知するための人感センサを備え、上記照度センサ、及び／又は、人感センサの出力する信号に応じて照射する上記複数種類の光源の光の強度を調整する調光手段を備えたことを特徴とする。
本発明にあっては、周囲の照度に応じて照射する光の強度を調整するため、観察者の目に対して負担の少ない照明が可能となる。
【００１１】
本発明の観察用照明方法は、被観察物に光を照射し、該被観察物を観察する観察用照明方法であって、上記光は、上記被観察物を精細に観察するための波長の特定光を含んでなることを特徴とする。
本発明にあっては、特定光源の照射する光によって被観察物の解像度が向上し、精細な観察が可能となる。
【発明の効果】
【００１２】
本発明の観察用照明装置は、被観察物を精細に観察するための波長の光を照射する特定光源を備えることで、特定光源の光によって被観察物の細部を透過する光量が増加するため、解像度が向上し、十分に精細な観察が可能となる。
【発明を実施するための最良の形態】
【００１３】
（実施の形態１）
以下、本発明の観察用照明装置の実施の形態を、例えば、被観察物にＸ線写真フィルムを用いた観察用照明装置を例に挙げ、図１から図３を用いて説明する。
図１は本発明の観察用照明装置の実施の形態の要部斜視図であり、図２は本発明の観察用照明装置の光源部の要部平面図であり、図３は図２のＬＥＤ基板の平面図である。
本発明の観察用照明装置１は、図１から図３に示す通り、光を照射する光源部２と、該光源部２を内装する筐体３と、上記光源部２からの光をＸ線写真フィルムに均一に照射するための拡散板４とから構成されてなるものである。
【００１４】
上記構成において、光源部２は、光源として、白色光源と特定光源を備え、白色光源である高演色白色ＬＥＤ２００ａと特定光源である青色ＬＥＤ２００ｂの２種類の光源を平面状に多数配設してなるＬＥＤ基板２００を６枚備えている。
【００１５】
また、上記筐体３は、光源部２が配設される矩形状の裏面板と、該裏面板の四辺から立設した上面板３０ａ，左側面板３０ｂ，右側面版３０ｃ，下面板３０ｄとを備え、上記筐体３の表面は開口してなるものである。上記筐体３の表面の枠部には表面枠体３１ａ，３１ｂ，３１ｃ，３１ｄが設けられ、上記上面板３０ａ，左側面板３０ｂ，右側面版３０ｃ，下面板３０ｄと共に拡散板４の周縁を狭持している。さらに、上記筐体３は、上記光源部２等に電源を供給するための電源スイッチ３２と、上記光源部２の所望の部分を点灯させるための部分点灯スイッチ３３とを備えている。
【００１６】
そして、上記拡散板４は、アクリル、ポリカーボネート等からなる乳白色の拡散樹脂板又は拡散ガラス板が用いられている。なお、拡散ガラス板としては、透明ガラスに拡散材を塗布したもの、ガラスに拡散材を練りこんだもの、表面に微細な凹凸を設けたものなどがある。
【００１７】
また、上記拡散板４は例えば、縦４９２ｍｍ×横１１２８ｍｍの大きさを有しており、半切サイズ（縦４３２ｍｍ×横３５６ｍｍ）のＸ線写真フィルムを横方向に３枚並べた状態で該Ｘ線写真フィルム３枚を同時に保持し、観察することが可能である。
なお、上記拡散板４は、半切サイズのＸ線写真フィルム３枚を横方向に隙間なく並べた場合の大きさ（縦４３２ｍｍ×横１０６８ｍｍ）に比べて、縦方向、横方向に６０ｍｍずつの余裕を持って形成されている。
【００１８】
そして、上記Ｘ線写真フィルムが１枚又は２枚の場合は、上記部分点灯スイッチ３３によって、上記Ｘ線写真フィルムが保持されている領域の光源のみを点灯させ、Ｘ線写真フィルムを保持していない領域が照明されることを防ぐことができる。
例えば、Ｘ線写真フィルムが拡散板４の領域４Ａのみに存在している場合、該領域４Ａのみを照明することで、該Ｘ線写真フィルムを保持していない領域４Ｂ，４ＣがＸ線写真フィルムを保持している領域４Ａより明るくなって観察の妨害となることを防ぎ、快適な観察が行える。
【００１９】
さらに、上記Ｘ線写真フィルムを保持していないような照明の不要な領域に光を照射せずに済み、所望のフィルムのみに光を照射できるため、装置全体を照明する場合に比べて無駄に使用される電力が少なくなり、経済的である。
【００２０】
また、上記表面枠体３１ａ，３１ｂ，３１ｃ，３１ｄは被観察物であるＸ線写真フィルムを保持する被観察物保持機構（図示せず）を備えており、該被観察物保持機構は、例えば、表面枠体３１ａ，３１ｂ，３１ｃ，３１ｄと拡散板４の間に挿入されたＸ線写真フィルムを表面枠体３１ａ，３１ｂ，３１ｃ，３１ｄの裏側（裏面側）に設けた板バネ（図示せず）にて拡散板４側へ押圧することで、Ｘ線写真フィルムを保持するものである。
【００２１】
なお、Ｘ線写真フィルムは可撓性を有するため、上記観察用照明装置１においては、表面枠体３１ａと拡散板４の間にＸ線写真フィルムを挿入して保持する場合が最も安定してＸ線写真フィルムを保持することができるため、上記被観察物保持機構は表面枠体３１ａの裏面のみに設けても良い。
【００２２】
なお、表面枠体３１ａ，３１ｂ，３１ｃ，３１ｄの全てに上記被観察物保持機構を設けると、例えば、上記観察用照明装置１を表面−裏面方向を回転軸として、９０°回転させた場合に、表面枠体３１ｂ又は表面枠体３１ｃにてＸ線写真フィルムを保持するよう切り替えることが可能となり、常に安定してＸ線写真フィルムを保持すべく、該Ｘ線写真フィルムを保持する被観察物保持機構を選択することが可能となる。
【００２３】
次に、上記光源部２について、図２を用いて詳細に説明する。
本発明の光源部２は、図２に示す通り、メイン基板２０に配設された３組の光源ユニット２１からなり、各光源ユニット２１は半切サイズ（３５６ｎｍ×４３２ｍｍ）のＸ線写真フィルム１枚を縦長にした場合の大きさに略等しくなるよう形成されている。
【００２４】
なお、上記各光源ユニット２１は、光源としての高演色白色ＬＥＤ２００ａと青色ＬＥＤ２００ｂの２種類のＬＥＤを多数配設してなるＬＥＤ基板２００と、該ＬＥＤ基板２００を２枚備えるサブ基板２２と、電源を供給するための電源ブロック２３からなる。
また、上記電源ブロック２３は、外部電源（商用電源）からの交流を全波整流する整流回路（図示せず）と、全波整流された電圧を平滑化する平滑回路（図示せず）と、光源であるＬＥＤに一定量の電流を供給するための定電流回路（図示せず）とからなるものである。
【００２５】
次に、上記ＬＥＤ基板２００について、図３を用いてさらに詳細に説明する。
本発明のＬＥＤ基板２００は、図３に示す通り、光源としての高演色白色ＬＥＤ２００ａと青色ＬＥＤ２００ｂの２種類のＬＥＤと、該ＬＥＤに電源を供給するために上記電源ブロック２３とＬＥＤを電気的に接続するコネクタ２０１と、上記サブ基板２２に配設する際のネジ留めを行うためのネジ孔２０２とを備えてなるものである。
【００２６】
また、上記青色ＬＥＤ２００ｂは青色の波長領域（４５０ｎｍ〜５００ｎｍ）にピークを持つＬＥＤであり、上記高演色白色ＬＥＤ２００ａは演色性の高い白色ＬＥＤのことであり、本実施の形態１においては、青色ＬＥＤ２００ｂを、青色の波長を緑色の波長に変換する緑色蛍光体と青色の波長を赤色の波長に変換する赤色蛍光体を含む樹脂にて封止してなるものである。青色の波長の一部が緑色の波長と赤色の波長に変換されることで、赤色青色緑色の光の三原色を混色することで白色光の照射を実現可能としている。
【００２７】
なお、演色性とは、ある光源による物体の色彩の見え方又はその光源の属性を基準光源と比較して１から１００までの数値で示したものであり、この数値（Ｒａ：平均演色評価数）が大きいほど演色性の高い、即ち、物体の色彩を忠実に表現できる光源であるとされている。本実施の形態においては、赤色青色緑色の光の三原色を混色するＬＥＤを用いることで、Ｒａが８０以上の高い演色性を実現している。
【００２８】
また、本発明の観察用照明装置の実施の形態において、特定光源である青色ＬＥＤは、被観察物に写る像の精細な観察のための特定光として、可視光の波長領域（４００ｎｍ〜８００ｎｍ）の中でも短波長領域である（４００ｎｍ〜６００ｎｍ）の波長で、該短波長領域の中でも波長の比較的短い領域である青色の波長領域（４５０ｎｍ〜５００ｎｍ）を用いており、Ｘ線写真フィルムなどの被観察物に対して上記特定光を照射すると、長い波長領域（例えば６００ｎｍ〜８００ｎｍ）の光を用いて観察する場合に比べて、Ｘ線写真フィルムに写る像の細部に亘って透過しやすいため、解像度が向上し、より精細にＸ線写真フィルムに写る像を観察することが可能である。
【００２９】
そして、上記ＬＥＤ基板２００には高演色白色ＬＥＤ２００ａが２４０個、青色ＬＥＤ２００ｂが３０個、合計２７０個のＬＥＤが配設されている。
本実施の形態１において、高演色白色ＬＥＤ２００ａと青色ＬＥＤ２００ｂの配設は次のようになっている。
【００３０】
まず、正方形の領域内にＬＥＤを縦（上下）３個×横（左右）３個、各ＬＥＤ間を等間隔に配設したものを１つのＬＥＤ組として、各ＬＥＤ組の中央には１個の青色ＬＥＤ２００ｂがあり、該青色ＬＥＤ２００ｂの周囲を囲むように８個の高演色白色ＬＥＤ２００ａを配設する。各ＬＥＤ間を等間隔に配設することで、照射される光の輝度むらを防止することができる。
【００３１】
そして、上記のように構成されるＬＥＤ組を縦５組×横６組、各ＬＥＤ組を等間隔に配設する。各ＬＥＤ組間を等間隔に配設することで、青色ＬＥＤ２００ｂが均一な密度で存在することが可能となり、Ｘ線写真フィルムに写る像の細部に透過する光を均一に被対象物に照射することが可能となり、色むらの発生を防止できる。
【００３２】
なお、上記各ＬＥＤ組は、正方形の領域内にＬＥＤを縦３個×横３個並べ、その中央に青色ＬＥＤ２００ｂを１個備えるという、縦方向（上下方向）、横方向（左右方向）の両方で対称性を有し、かつ、中心に対して９０°回転で同じ配設となる４回対称性を有する配設となっているため、該ＬＥＤ組を縦方向に並べた場合の青色ＬＥＤ２００ｂの密度と、横方向に並べた場合の青色ＬＥＤ２００ｂの密度が等しく、複数のＬＥＤ組を並べた際に、青色ＬＥＤ２００ｂを均一な密度で存在する状態を容易に作り出すことが可能となる。
【００３３】
次に、上記高演色白色ＬＥＤ２００ａ及び青色ＬＥＤ２００ｂの電気的接続方法について説明する。上記ＬＥＤ基板２００には２種類の細長のＬＥＤユニットが配設されており、高演色白色ＬＥＤ２００ａを一直線上に９個直列接続してなる第１のＬＥＤユニット２０３ａと、『高演色白色ＬＥＤ２００ａ，青色ＬＥＤ２００ｂ，高演色白色ＬＥＤ２００ａ』の３個を１組として３組合計９個を一直線上に直列接続してなる第２のＬＥＤユニット２０３ｂとを配設してなるものである。
【００３４】
そして、上記第１のＬＥＤユニット２０３ａと第２のＬＥＤユニット２０３ｂをＬＥＤ基板２００の短辺方向（縦方向）に各ＬＥＤユニットの長辺方向が平行となるように『第１のＬＥＤユニット２０３ａ、第２のＬＥＤユニット２０３ｂ、第１のＬＥＤユニット２０３ａ』と配設したものを１組として縦５組×横２組、合計１０組配設することで３０個のＬＥＤユニットを使用したＬＥＤ基板２００が構成される。
【００３５】
特に、本発明の実施の形態１では、高演色白色ＬＥＤ２００ａとして、青色ＬＥＤ２００ｂを緑色蛍光体と赤色蛍光体を含む樹脂にて封止したＬＥＤを使用しているため、高演色白色ＬＥＤ２００ａの駆動電圧は青色ＬＥＤ２００ｂの駆動電圧と等しく、電源を共有することが可能となる。その結果、青色ＬＥＤ２００ｂと高演色白色ＬＥＤ２００ｂとを１つのＬＥＤユニット内で直列接続するが可能となり、配線の共有化により配線の簡素化、低コスト化を図ることができ、また、配線が簡素化することによってＬＥＤユニットの配設の自由度及び設計自由度の向上を図ることができる。
【００３６】
次に、観察用照明装置１の動作について図４を用いて説明する。図４は本発明の実施の形態１の観察用照明装置の回路構成の概略を示す概略ブロック図である。
本発明の観察用照明装置１は、図４に示す通り、観察用照明装置１を動作させるべく外部電源６から供給された交流電源は、電源スイッチ３２がＯＮになっている場合に観察用照明装置１に供給され、該観察用照明装置１に供給された電源は部分点灯スイッチ３３によって電源を供給すべき光源ユニット２１が指定され、該指定された光源ユニット２１内の電源ブロック２３は、供給された交流電源を直流電源に変換し各ＬＥＤ基板２００へ供給する。
【００３７】
なお、上記観察用照明装置１はフィルム検知手段３４を備えており、フィルム検知手段３４によってＸ線写真フィルムが拡散板４上に存在することを検知した場合、フィルム検知信号を電源ブロック２３に伝え、その際、上記部分点灯スイッチ３３がＯＮの状態であれば、電源ブロック２３によって電源が供給される。
【００３８】
また、フィルム検知手段３４によるＸ線写真フィルムの存在の検知は、例えば、被観察物保持機構のＸ線写真フィルムを押圧する力の変化や、Ｘ線写真フィルムの厚さ分の変位、表面枠体３１ａ，３１ｂ，３１ｃ，３１ｄと拡散板４の間に挿入された際に生じる影などの光学的変化などを検知するフィルム検知手段を備えることよって、挿入されたＸ線写真フィルムの存在を検知することで実現される。
【００３９】
次に、異なる光源を用いた３種類のシャウカステンを観察して比較したモニター調査結果について、図５を用いて説明する。図５は異なる光源を用いたシャウカステンのモニター調査の説明図である。
上記モニター調査は、図５に示す通り、本発明の観察用照明装置１と同様の光源である高演色白色ＬＥＤ（Ｒａは８０以上）及び青色ＬＥＤを用いたシャウカステンＡと、本発明の光源とは異なる光源を用いた観察用照明装置であるシャウカステンＢ，シャウカステンＣとをモニターが観察及び比較して評価するものである。シャウカステンＢは光源として、青色ＬＥＤを黄色の蛍光体を含む樹脂で封止することで擬似白色（Ｒａは７０程度）を発する擬似白色ＬＥＤを用いており、シャウカステンＣは光源として昼光色蛍光管（Ｒａは７０程度）を用いている。
【００４０】
また、上記シャウカステンＡに用いられている光源は本発明の実施の形態１にて説明する観察用照明装置１と同様のものである。
さらにまた、上記シャウカステンＡ，Ｂ，Ｃの輝度は略一定である。
なお、上記モニター調査は、日頃からシャウカステンを用いてＸ線写真フィルムを観察している医師を対象として、シャウカステンＡ，Ｂ，Ｃがそれぞれどういった光源を用いているのか明かさずに観察するブラインドテスト形式で行われた。
【００４１】
そして、上記モニター調査の結果、昼光色蛍光管を光源に用いたシャウカステンＣは、日頃観察しているシャウカステンと同じ程度の観察のしやすさであるという評価が得られ、また、擬似白色ＬＥＤを光源に用いたシャウカステンＢは、色味が日頃観察しているシャウカステンとは異なるものの、観察のしやすさとしては通常のシャウカステンと同じ程度であるという評価が得られた。最も観察しやすいと評価されたのは、高演色白色ＬＥＤ及び青色ＬＥＤを光源に用いたシャウカステンＡであった。
【００４２】
なお、シャウカステンＣのように光源に蛍光管を用いた場合、蛍光管の本数や配設方法によっては、照明する光の輝度むらが生じる。例えば、蛍光管を１本だけ配設する場合、蛍光管から離れた領域は照明が不足してしまう。また、例えば、蛍光管を複数本並行に配設する場合であっても、蛍光管の間の距離によって、該蛍光管のある領域での照明と蛍光管の間の領域で輝度むらが生じてしまう。
【００４３】
なお、輝度むらを緩和する方法として、光源と拡散板を離す方法があるが、光源と拡散板を離せば離すほど観察用照明装置が大きく（厚く）なっていくという問題が生じる。
また、蛍光管を高密度に複数本並行に配設しても輝度むらは緩和できるが、蛍光管はＬＥＤに比べて１個あたりに出射する光の量が多いため、多く配設すると全体の光の量がシャウカステンとして求められる量を超えてしまい、眩しすぎる照明になってしまう。シャウカステンとして求められる一定の輝度で照明するためには、使用する蛍光管の本数をある程度制限する必要がある。よって、シャウカステンの光源として蛍光管を用いる場合、該蛍光管を高密度に配設することは通常行われない。
【００４４】
さらに、蛍光管は長年使用していく過程で、両端にある電極付近の発光領域が黒ずんで、該電極付近の発光領域の輝度が落ちるという劣化現象を生じ、該劣化現象に起因して輝度むらが生じる場合がある。
【００４５】
一方、シャウカステンＢ，Ｃのように光源にＬＥＤを用いた場合は、多数のＬＥＤを等間隔に配設できるため、輝度むらが生じにくく、均一な照明が可能となる。
以上説明したように、本発明によれば、複数種類の光源からの光を照射して被観察物を照明し、該被観察物を観察する観察用照明装置であって、上記複数種類の光源の少なくとも１つが上記被観察物を精細に観察するための波長の光を照射する特定光源であるため、被観察物に写る像の細部を透過する光量が増加し、該被観察物に写る像の細部を透過する光量が増加することで解像度が向上し、白色光源だけで照明する場合と比べ、より精細な観察が可能となる。
【００４６】
特に、Ｘ線写真フィルムを観察する場合、Ｘ線写真フィルムがやや青味を帯びており、青色の光の透過量が多くなる。上記観察用照明装置１においては、光源に特定光を照射する特定光源としての青色ＬＥＤ２００ｂを含んでいる構成となっているため、光源を全て白色光源である高演色白色ＬＥＤ２００ａとする場合に比べて、Ｘ線写真フィルムを透過する光の量を増加させることができ、透過する光の量の増加によってコントラストが向上し、より精細な観察が可能となる。
【００４７】
また、本発明は白色の光に可視光の短波長側の光を加えるため、白色とは若干異なる色で照明することとなる。ある程度自然な白色を保ちながら照明したい場合は、青色の光の輝度の割合を、上記青色ＬＥＤ２００ｂ及び高演色白色ＬＥＤ２００ａが照射する全体の光の輝度に対して２０％以下にすることが必要である。望ましくは８〜１５％であればより自然な白色を保ちながら、精細な観察が可能となる。なお、本発明の実施の形態１においては、駆動電圧の等しい２種類のＬＥＤを使用しているため、輝度も略等しく、高演色白色ＬＥＤ２００ａと青色ＬＥＤ２００ｂの比率が８：１になるように配列しているため、１０〜１２％の自然な白色を保ちながら、精細な観察が可能な照明を実現している。
【００４８】
なお、本発明の実施の形態１において、観察用照明装置１は、フィルム検知手段３４によってＸ線写真フィルムが拡散板４上に存在することを検知した場合、フィルム検知信号を電源ブロック２３に伝え、その際、上記部分点灯スイッチ３３がＯＮの状態であれば、電源ブロック２３によって電源が供給されるものとしたが、これに限られることはなく、フィルム検知手段３４がＸ線写真フィルムを検知した場合は、部分点灯スイッチがＯＦＦであっても該Ｘ線写真フィルムを検知した領域を照明するようにしても良い。また、フィルム検知手段３４を備えず、部分点灯スイッチ３３によって所望の領域を照明するものや、部分点灯スイッチ３３を備えず、フィルム検知手段３４によって所望の領域を照明するもの、また、フィルム検知手段３４も部分点灯スイッチ３３も備えず、電源スイッチ３２がＯＮの状態で領域を指定せずに常に全体を照明するものなどであっても構わない。いずれの場合であっても、光源に特定光を照射する特定光源としての青色ＬＥＤ２００ｂを含んでいる構成となっているため、光源を全て白色光源である高演色白色ＬＥＤ２００ａとする場合に比べて、Ｘ線写真フィルムを透過する光の量を増加させることができ、透過する光の量の増加によってコントラストが向上し、より精細な観察が可能となる。
【００４９】
（実施の形態２）
次に、本発明の観察用照明装置の他の実施の形態について、図６及び図７を用いて説明する。図６は本発明の観察用照明装置の他の実施の形態の構成を示す要部斜視図であり、図７は本発明の照明装置の他の実施の形態の回路構成の概略を示す概略ブロック図である。なお、上記実施の形態１と同一部分には同一符号を付し、その説明は省略する。
【００５０】
本発明の観察用照明装置１Ａは、本発明の実施の形態１の観察用照明装置に周囲の照度を測定するための照度センサ５０と、調光手段である調光回路５１とを各光源ユニット２１Ａに１個ずつ備えてなるものである。
次に、観察用照明装置１Ａの動作に付いて図７を用いて説明する。
【００５１】
本発明の観察用照明装置１Ａは、図７に示す通り、観察用照明装置１Ａを動作させるべく外部電源６から供給された電源は、電源スイッチ３２がＯＮになっている場合に観察用照明装置１Ａに供給され、該観察用照明装置１に供給された電源は部分点灯スイッチ３３によって電源を供給すべき光源ユニット２１Ａが指定され、該指定された光源ユニット２１Ａ内の電源ブロック２３は、実施の形態１と同じく、フィルム検知手段３４からのフィルム検知信号を受けて、上記部分点灯スイッチ３３がＯＮの状態でＸ線写真フィルムが拡散板４上に存在していることを検知した場合に、供給された交流電源を直流電源に変換し各ＬＥＤ基板２００へ供給する。
【００５２】
そして、上記光源ユニット２１Ａに備えられた照度センサ５０によって、該照度センサ５０近傍の照度を測り、該測定された照度を観察用照明装置１Ａの周囲の照度として出力する。
【００５３】
さらに、上記光源ユニット２１Ａは調光回路５１を備えており、電源ブロック２３から各ＬＥＤ基板２００へ電源が供給される際、照度センサ５０の出力する値に応じて青色ＬＥＤ２００ｂ及び高演色白色ＬＥＤ２００ａの輝度を調整することが可能である。該調光回路５１としては、例えば、上記青色ＬＥＤ２００ｂ及び高演色白色ＬＥＤ２００ａへの電源のＯＮ／ＯＦＦを高速で切り替え、該ＯＮ／ＯＦＦの時間（パルス幅）の比を調整することで光源の明るさを制御するＰＷＭ制御手段を備えた回路がある。
【００５４】
上記調光手段としては、例えば、上記照度センサ５０の出力する信号の値が予め定める閾値より高い（明るい）場合、ＬＥＤの輝度を上げ、上記照度センサ５０の出力する信号の値が予め定める閾値より低い（暗い）場合、ＬＥＤの輝度を下げるといった制御が可能である。このような制御を行うことによって、周囲が明るい場合に対象物に対する照明が不足し、該対象物に写る像が観察できなくなることを防ぎ、また、周囲が暗い場合に対象物に対する照明が明るすぎて、観察者の目に負担をかけることを防ぐことが可能となる。
【００５５】
さらに、上記観察用照明装置１Ａは３箇所に照度センサ５０を備えているため、観察用照明装置１Ａの拡散板４の３つの領域４Ａ，４Ｂ，４Ｃそれぞれの照度に合わせて調光制御が可能である。上記のような観察用照明装置１Ａにあっては、例えば、領域４Ａは明るいが領域４Ｃは暗い場合に、領域４Ａに照射するＬＥＤの輝度を上げ、領域４Ｃに照射するＬＥＤの輝度を下げるといった制御が可能となる。
【００５６】
なお、照度センサ５０としては、フォトトランジスタ、フォトダイオード、フォトダイオードにアンプ回路を備えたフォトＩＣなどがある。
以上説明したように、本発明によれば、照度センサ５０を備えることにより、周囲の照度に従って光源の光の強度を調整することによって、周囲が明るい場合に対象物に対する照明が不足し、該対象物に写る像が観察できなくなることを防ぎ、また、周囲が暗い場合に対象物に対する照明が明るすぎて、観察者の目に負担をかけることを防ぐことが可能となる。
【００５７】
また、本発明の観察用照明装置の実施の形態２の観察用照明装置１Ａは、照度センサ５０、調光回路５１を各光源ユニット２１Ａに１個ずつ合計３個ずつ備えた構成としたが、上記実施例に限られるものではなく、上記照度センサ５０、調光回路５１を１つずつ備えた構成としても良い。
【００５８】
さらにまた、本発明の観察用照明装置の実施の形態２において、観察用照明装置１Ａは照度センサ５０を備えたものとして説明したが、これに限定されるものではなく、照度センサ５０に代えて、観察者の接近を感知するための人感センサである赤外線センサを用いて調光回路５１を制御しても良い。赤外線センサとしては、焦電効果（パイロ電子効果）を利用した焦電型赤外センサ（パイロセンサ）や、熱起電力効果を利用した熱起電力型赤外線センサ（サーモパイル）などの非接触型のセンサなどがある。また、人感センサとして、距離を測定する測距センサを用いても良いし、赤外線センサと組み合わせて用いても良い。測距センサとしては、レーザーを利用するレーザー測距センサ、赤外線を利用する赤外線距離センサ、超音波を利用する超音波距離センサなどがある。
【００５９】
上記人感センサを用いる場合、調光回路５１の制御方法としては、例えば、観察者が接近しすぎている（例えば、センサから３０ｃｍ以内）場合には輝度を下げることで、観察者の目に対して負担の少ない照明が可能となる。また、観察者の接近（センサから２ｍ以内）を検知して自動的に点灯したり、観察者が遠ざかる（センサから３ｍ以上）のを検知して消灯したりする点灯／消灯制御を行うことで省電力効果も期待できる。
さらに、本発明の観察用照明装置の実施の形態２において、観察用照明装置１Ａは照度センサ５０を備えたものとして説明したが、これに限定されるものではなく、照度センサと人感センサの両方を用いたものでも良い。
【００６０】
さらにまた、本発明の観察用照明装置の実施の形態１及び実施の形態２において、観察用照明装置１，１Ａは、Ｘ線写真フィルムの観察のために用いられるものとして説明したが、これに限定されるものではなく、ネガフィルムやリバーサルフィルムの観察に用いても良いし、トレーシングペーパーや薄手の紙など、様々な種類の被観察物についての観察用照明装置として用いることができる。いずれの場合においても、白色の照明に対して可視光の短波長領域の光を所定の割合追加して照明することで被観察物に写る像の細部を透過する光が増えるため、精細な観察が可能となる。
【００６１】
そして、本発明の照明装置の実施の形態１及び実施の形態２において、観察用照明装置１，１Ａの拡散板４は１０８８×４５２ｍｍの大きさを有しており、半切サイズ（３５６×４３２ｍｍ）のＸ線写真フィルムを縦長にして横方向に３枚並べた場合の大きさ（１０６８×４３２ｍｍ）に略等しいものとして説明したが、これに限定されるものではなく、１枚専用のサイズでも良いし、５枚分のサイズであっても良い。
【００６２】
また、本発明の観察用照明装置の実施の形態１及び実施の形態２において、観察用照明装置１，１Ａの光源部２に備えられる白色光源として高演色白色ＬＥＤ２００ａを用いて説明したが、これに限定されるものではなく、白色光源として青色ＬＥＤを黄色の蛍光体を含む樹脂で封止することで擬似白色光（Ｒａは７０程度）を発する擬似白色ＬＥＤを用いても良いし、蛍光管を利用しても良い。該蛍光管は、水銀ガスを封入したガラス管内に放電することで発生した紫外線を利用して、ガラス管内側に塗布されている蛍光物質が上記紫外線を変換することで、白色光を照射してなるものである。なお、蛍光管には、電極を加熱して熱電子放出を行う熱陰極管（ＨＣＦＬ）や加熱せずに電子放出を行う冷陰極管（ＣＣＦＬ）がある。また、白色光源としてはその他にも、白色光を照射する有機ＥＬやハロゲン電球を用いたものなど、様々な種類の光源を用いることができる。
【００６３】
さらに、本発明の観察用照明装置の実施の形態１及び実施の形態２において、特定光源として青色ＬＥＤ２００ｂを用いて説明したが、可視光の短波長側（４００〜６００ｎｍ）であれば良く、例えば、波長が４００〜４５０ｎｍの紫色から紫に近い青色のような波長領域の光を用いても良い。波長が青色（４５０〜５００ｎｍ）に比べて短いため、被観察物に写る像の細部を透過する光の量が多く、より精細な観察が可能となる。また、光源としてＬＥＤを用いる必要はなく、蛍光管に青色のフィルタを設けたものや、青色光を照射する有機ＥＬなど、様々な種類の光源を用いることができる。
【図面の簡単な説明】
【００６４】
【図１】本発明の観察用照明装置の実施の形態の要部斜視図である。
【図２】本発明の観察用照明装置の光源部２の要部平面図である。
【図３】図２のＬＥＤ基板２００の平面図である。
【図４】本発明の観察用照明装置の回路構成の概略を示す概略ブロック図である。
【図５】異なる光源を用いたシャウカステンのモニター調査の説明図である。
【図６】本発明の観察用照明装置の他の実施の形態の構成を示す要部斜視図である。
【図７】本発明の照明装置の他の実施の形態の回路構成の概略を示す概略ブロック図である。
【図８】従来の観察用照明装置の構成を示す斜視図である。
【符号の説明】
【００６５】
１、１Ａ  観察用照明装置
２  光源部
３  筐体
４  拡散板
２０  メイン基板
２１、２１Ａ  光源ユニット
２２  サブ基板
２３  電源ブロック
３０ａ  上面板
３０ｂ  左側面板
３０ｃ  右側面板
３０ｄ  下面版
３１ａ，３１ｂ，３１ｃ，３１ｄ  表面枠体
３２  電源スイッチ
３３  部分点灯スイッチ
３４  フィルム検知手段
５０  照度センサ
５１  調光回路
２００  ＬＥＤ基板
２００ａ  高演色白色ＬＥＤ
２００ｂ  青色ＬＥＤ
２０１  コネクタ
２０２  ネジ孔
２０３ａ  第１のＬＥＤユニット
２０３ｂ  第２のＬＥＤユニット
【図１】
2010038995.tif 000003
【図２】
2010038995.tif 000004
【図３】
2010038995.tif 000005
【図４】
2010038995.tif 000006
【図５】
2010038995.tif 000007
【図６】
2010038995.tif 000008
【図７】
2010038995.tif 000009
【図８】
2010038995.tif 000010